(57)【特許請求の範囲】
【請求項１】
蓋付容器を所定の速度で搬出する蓋付容器搬送装置と、
この蓋付容器搬送装置によって搬送される容器の蓋を挟持し保持するときの挟持幅の拡縮が可能な保持部と、
この保持部によって容器の蓋を一定区間保持した後、その保持を解除する、保持領域と保持解除領域とを備えた蓋取外し搬送装置と、
この蓋取外し搬送装置の保持解除領域の下方に配置された蓋用シュータと、
前記蓋付容器搬送装置の搬送終端部に配置された容器用シュータと、
この容器用シュータからの容器を前記蓋付容器搬送装置の搬送速度より速い速度で送り出す容器送り出し装置と、
この容器送り出し装置から送り出された容器が縦壁に衝突した後、自重で１８０度反転しその反転時に容器内部のものを容器外へ落下させる反転装置と、
反転した容器をそのまま搬送する反転容器搬送装置と、
この反転容器搬送装置によって搬送される反転容器に対して下から洗浄水を噴射する洗浄ノズルと
から成ることを特徴とする蓋付容器洗浄装置。
【請求項２】
前記洗浄ノズルは、回転すると共に直線状に噴射する第１の噴射ノズルと末広がり状に噴射する第２の噴射ノズルの組合せから成ることを特徴とする請求項１記載の蓋付容器洗浄装置。
【発明の詳細な説明】
【０００１】
【発明の属する技術分野】
この発明は、弁当箱等に適する蓋付容器洗浄装置に関する。
【０００２】
【従来の技術】
従来、弁当箱等の蓋付容器を洗浄するには、食べ終わった容器を搬送装置によって洗浄工程へ搬送し、蓋を取外した後、容器内部を洗浄水で洗浄するようになっている。
【０００３】
【発明が解決しようとする課題】
回収された弁当箱等の容器は、食べ残しがないのもあるが、食べ残しが多いのもあり、それらが一緒になって洗浄工程へ送り込まれる。洗浄水は濾過しながら循環使用されるが、最終的には回収タンク内に、洗浄水と一緒に多量の食べ残しが回収される。
【０００４】
これら食べ残し等の残飯は処理業者にトン当り有料で引きとってもらっているが、このトン当りのコストは洗浄水を含む計算となり余分なコストとなっている。
【０００５】
回収された、食べ残し等の残飯は、洗浄水と確実に分離しているわけではなく、飽和状態まで洗浄水を含んだ混合状態にあって、生ゴミの排出量を増やしているのが現状である。
【０００６】
特に、ゴミの減量化に取組んでいる自治体にあっては、各企業に少しでもゴミの減量化に協力するよう指導が行なわれると共に、各自治体ごとに飼料化等の取組みを始めている。
【０００７】
そこで、この発明は洗浄水を使わずに容器内の食べ残しを確実に外へ排出し、水分を含ませずに容器内の食べ残しの回収を可能とする一方、大きさの異なる蓋付容器であっても支障なく洗浄が行なえるようにした蓋付容器洗浄装置を提供することを目的としている。
【０００８】
【課題を解決するための手段】
前記目的を達成するために、この発明の請求項１にあっては、蓋付容器を所定の速度で搬出する蓋付容器搬送装置と、この蓋付容器搬送装置によって搬送される容器の蓋を挟持し保持するときの挟持幅の拡縮が可能な保持部と、この保持部によって容器の蓋を一定区間保持した後、その保持を解除する、保持領域と保持解除領域とを備えた蓋取外し搬送装置と、この蓋取外し搬送装置の保持解除領域の下方に配置された蓋用シュータと、前記蓋付容器搬送装置の搬送終端部に配置された容器用シュータと、この容器用シュータからの容器を前記蓋付容器搬送装置の搬送速度より速い速度で送り出す容器送り出し装置と、この容器送り出し装置から送り出された容器が縦壁に衝突した後、自重で１８０度反転しその反転時に容器内部のものを容器外へ落下させる反転装置と、反転した容器をそのまま搬送する反転容器搬送装置と、この反転容器搬送装置によって搬送される反転容器に対して下から洗浄水を噴射する洗浄ノズルとから成ることを特徴とする。
【０００９】
これにより、食べ終わった後の回収された容器は、蓋付のまま蓋付容器搬送装置に載せられ所定の速度で搬送される。
【００１０】
その搬送時に、蓋は蓋取外し搬送装置の保持部によって保持された後、蓋用シュータ上へ落下する。
【００１１】
一方、蓋が取外された容器は搬送終端部から容器用シュータによって容器送り出し装置に送られる。容器送り出し装置は速い速度で反転装置へ向けて容器を送り出す。速い速度で反転装置に送り出された容器は、縦壁に衝突した後、自重で１８０度反転する。
【００１２】
この時、容器内の食べ残しは、衝突時の衝撃によって内壁から剥れると共に、１８０度反転する反転時に外へ確実に落下し、洗浄水を含ませることなく食べ残しだけの回収が可能となる。
【００１３】
次に、食べ残しが外へ排出された反転容器は、反転容器搬送装置によって搬送されその搬送時において、下から噴射される洗浄水によって洗浄が行なわれる。
【００１７】
これにより、蓋付容器の大きさに影響されることなく確実に容器から蓋を取外せるようになるため、蓋付容器の形状が大きいものと小さいものとを一台の搬送装置にランダムに流せるようになる。
【００１８】
また、この発明の請求項２の発明によれば、洗浄ノズルを、回転自在とする一方、直線状に噴射する第１の噴射ノズルと末広がり状に噴射する第２の噴射ノズルの組合せから成ることを特徴とする。
【００１９】
これにより、第１の噴射ノズルからは、洗浄水が直線状に噴射しながら回転すると共に、第２の噴射ノズルからは、洗浄水が、末広がり状に噴射しながら回転する組合せとによって容器が通過する時に、同じところに繰返し洗浄水が当るようになる。
【００２０】
【発明の実施の形態】
以下、図１乃至図９の図面を参照しながらこの発明の第１の実施形態について具体的に説明する。
【００２１】
図１は蓋付容器洗浄装置全体の概要説明図を示している。
【００２２】
蓋付容器洗浄装置の蓋付容器搬送装置１は、図外の駆動モータにより回転動力が与えられる駆動プーリ３と従動プーリ５とに搬送ベルト７がエンドレスに掛回され、搬送ベルト７に載せられた弁当箱等の蓋付容器９を所定の速度で矢印方向へ搬送するようになっている。
【００２３】
蓋付容器９は、図２に示すように蓋９ａと容器９ｂとから成る主食用容器と、図３に示すように蓋９ａと容器９ｂとから成る副食用容器とに分かれていて、それぞれ大きさが異なる形状となっている。
【００２４】
蓋付容器９の蓋９ａは、搬送工程終端領域において蓋取外し搬送装置１１の保持部１３によって吸引保持されるようになっている。
【００２５】
蓋取外し搬送装置１１は、図４から図６に示すように駆動モータ１５によって回転動力が与えられる並列に設けられた駆動スプロケット１７と従動スプロケット１９とに平行にチェーン２１がエンドレスに掛回され、そのチェーン２１には支持プレート２３が所定の間隔で固定支持されている。支持プレート２３には保持部１３となるゴムでてきた蛇腹状の吸引部２５が内側から挿入された取付けねじ２７のねじ部２９によって着脱自在に取付けられている。
【００２６】
取付けねじ２７は、中央部位に上下に貫通する貫通孔３１が設けられ、工具等により取付けねじ２７を緩めることで、例えば、摩耗、あるいは破損した吸引部２５の交換が可能となっている。
【００２７】
取付けねじ２７に設けられた貫通孔３１は、支持プレート２１のねじ孔を介してプレート上面に開口２７ａしている。支持プレート２１のプレート面は吸引ボックス３３の底面と密着しながらスライド移動するようになっている。
【００２８】
吸引ボックス３３は、吸引装置３５によって吸引されると共に、底面には、前記支持プレート２１のプレート上面の開口２７ａと対応する接続孔３７が設けられている。
【００２９】
したがって、接続孔３７と開口２７ａが対向し合うことで吸引部２５内に負圧が働く吸着可能な吸引領域ｄが確保される一方、その吸引領域ｄから外れた領域は吸引解除領域ｅとなっている。
【００３０】
吸引解除領域ｅの下方には、蓋用シュータ３９が配置され、蓋９ａを洗浄する洗浄工程へ誘導案内するようになっている。
【００３１】
一方、蓋付容器搬送装置１の搬送終端部には、容器用シュータ４１が配置され、蓋９ａが取外された容器９ｂを容器送り出し装置４３へ誘導案内するようになっている。
【００３２】
容器送り出し装置４３は、図７に示すように駆動モータ４４によって回転動力が与えられる平行な駆動プーリ４５と従動プーリ４７とに送り出しベルト４９がそれぞれエンドレスに掛回わされている。送り出しベルト４９は前記蓋付容器搬送装置１の搬送ベルト７より約２倍の速度で反転装置５１へ向けて送り出す速さに設定されている。
【００３３】
反転装置５１は、反転部材５３と受部材５５とで構成されている。反転部材５３は、容器送り出し装置４３によって送り出された容器９ｂが縦壁５７ａと衝突し合う立上り部５７と立上り部５７から下降傾斜した傾斜部５９とで形成され、傾斜部５９の寸法Ｌは容器９ｂの寸法により約半分の長さに設定され、立上り部５７の縦壁５７ａに衝突した容器９ｂが傾斜部５９において自重で１８０度反転するようになっている。
【００３４】
受部材５５は、反転部材５３の下位に位置し、円弧状に形成された２本のガイドレール状に形成され、容器９ｂの反転時に内部の食べ残しが回収タンク６１内へ落下するようになっている。
【００３５】
受部材５５によって反転支持された反転容器９ｂは、自重で反転容器搬送装置６３の上面に滑り落ちるようになっている。
【００３６】
反転容器搬送装置６３は、図外の駆動モータによって回転動力が与えられる駆動プーリ６５と従動プーリ６７とに搬送ベルト６９がエンドレスに掛回されている。搬送ベルト６９に載せられた反転容器７ｂは、反転容器搬送装置６３の間に配置された洗浄ノズル７１によって洗浄水が噴射されるようになっている。
【００３７】
洗浄ノズル７１は、第１の噴射ノズル７３と第２の噴射ノズル７５の組み合せから成ると共に、駆動部７７によって回転可能となっている。
【００３８】
第１の噴射ノズル７３は、直線状に噴射する構造となっており、第２の噴射ノズル７５は末広がり状に噴射する構造となっている。
【００３９】
このように構成された蓋付容器洗浄装置において、洗浄を行なうには、回収した蓋付容器９を所定の間隔で蓋付容器搬送装置１の上に載せる。蓋付容器搬送装置１の上に載せられた蓋付容器９は、所定の速度で搬送され、搬送終端領域において蓋９ａは、蓋取外し搬送装置１１の保持部１３によって吸引保持される。この時、蓋９ａの上から吸引保持するため、蓋９ａの大きさに影響されることなく確実に保持することが可能となり、蓋付容器９の形状が大きいもの、あるいは小さいものでもランダムに流せるようになる。この結果、仕分け作業が不用となる。
【００４０】
保持部１３によって吸引保持された蓋９ａは保持解除領域ｅにおいて蓋用シュータ３９の上に落下し、図外の蓋専用洗浄ラインへ送り出される。
【００４１】
一方、蓋９ａが取外された容器９ｂは搬送終部から容器用シュータ４１を介して容器送り出し装置４３に送られる。容器送り出し装置４３は、蓋付容器搬送装置１のほぼ２倍の速い速度で反転装置５１へ向けて容器９ｂを送り出す。速い速度で反転装置５１に送り出された容器９ｂは、立上り部５７の縦壁５７ａに衝突した後、自重で１８０度反転する。
【００４２】
この時、容器９ｂ内の食べ残しは、搬送時の振動と衝突時の衝撃と相俟って内壁面から確実に剥がれると共に、１８０度反転する反転時に、回収タンク６１内に洗浄水を含ませることなく食べ残しだけが回収される。
【００４３】
食べ残しが排出された反転容器９ｂは、反転容器搬送装置６３によって搬送され、その搬送時に下から洗浄水によって反転容器９ｂ内部の洗浄が行なわれる。この洗浄時において、第１の噴射ノズル７３からは洗浄水が直線状に噴射しながら回転すると共に、第２の噴射ノズル７５からは洗浄水が末広がり状に噴射しながら回転する組合せによって反転容器９ｂの通過時に、同じところに繰り返し洗浄水が当る洗浄噴射となり壁面に付着した若干の食べ残しを確実に洗い落せるようになる。
【００４４】
図１０と図１１は、蓋付容器９の蓋９ａを保持する保持部１３の第２の実施形態を示したものである。
【００４５】
即ち、保持部としての、チェーン２１に支持された支持プレート７９に固定挟持部８１と可動挟持部８３とを設けると共に、可動挟持部８３は支持ロッド８５によって挟持幅が拡縮されるようスライド自在に支持されている。
【００４６】
可動挟持部８３は、付勢ばね８７によって常に固定挟持部８１側へ向けて付勢され、図１１に示すように可動挟持部８３のローラ８９が、付勢ばね８７に抗してガイド部材９１のガイド面９３の最大幅の所に位置した時、蓋９ａより外側に位置するようになる。以下、ガイド面９３に沿ってローラ８９が転動することで付勢ばね８７のばね圧で挟持幅が順次狭くなる構造となり、蓋９ａの大きさに影響されることなく蓋９ａの挟持が可能となっている。
【００４７】
なお、他の構成要素は第１の実施形態と同一のため同一符号を符して詳細な説明を省略する。
【００４８】
したがって、この第２の実施形態によれば、拡縮可能な可動挟持部８３と固定挟持部８１とによって蓋付容器９の大きさに影響されることなく確実に容器９ｂから蓋９ａを取外せるようになるため、蓋付容器９の大きさにとらわれることなくランダムに流せることができる。
【００４９】
また、この実施形態の場合には、吸引装置等が不用となるメリットが得られるようになり、コストの面でも大変好ましいものとなる。
【００５０】
【発明の効果】
以上、説明したようにこの発明にかかる蓋付容器洗浄装置の請求項１によれば、蓋取外し搬送装置の保持部によって蓋付容器の蓋と容器とに分離することが可能となり蓋付容器のまま流せるようになる。
【００５１】
また、衝撃を与える反転装置によって洗浄水を含ませることなく食べ残しのみを確実に回収することができる。この結果、生ゴミの減量化に大きく寄与する。
【００５３】
また、挟持幅の拡縮が可能な保持部によって、蓋を挟持することで容器から取外すことができるため、蓋付容器の形状が大きいものと小さいものとを一台の搬送装置にランダムに流すことができる。この結果回収した蓋付容器を同じ大きさに分ける仕分け作業がなくなり、作業性の面で優れると共に、吸引装置等が不用となるメリットが得られる。
【００５４】
また、請求項２の発明によれば、直線状と末広がり状に噴射する組合せによって、同じ所に繰り返し洗浄水を当てることができるため、確実な洗浄状態が得られる。
【図面の簡単な説明】
【図１】この発明に係る蓋付容器洗浄装置全体の概要説明図。
【図２】蓋付容器の主食用容器の概要斜視図。
【図３】蓋付容器の副食用容器の概要斜視図。
【図４】蓋取外し搬送装置の概要説明図。
【図５】図４のＡ−Ａ線拡大図。
【図６】図５のＢ−Ｂ線拡大図。
【図７】容器送り出し装置と反転装置を上からみた概要説明図。
【図８】反転装置の反転部材の概要斜視図。
【図９】反転装置による容器の反転動作説明図。
【図１０】保持部の第２の実施形態を示した説明図。
【図１１】図１０のガイド部材とローラとの関係を示した説明図。
【符号の説明】
１  蓋付容器搬送装置
７  蓋付容器
７ａ  蓋
７ｂ  容器
１１  蓋取外し搬送装置
１３  保持部
３９  蓋用シュータ
４１  容器用シュータ
４３  容器送り出し装置
５１  反転装置
５７ａ  縦壁
６３  反転容器搬送装置
７１  洗浄ノズル
【図１】
0004636712.tif 000002
【図２】
0004636712.tif 000003
【図３】
0004636712.tif 000004
【図４】
0004636712.tif 000005
【図５】
0004636712.tif 000006
【図６】
0004636712.tif 000007
【図７】
0004636712.tif 000008
【図８】
0004636712.tif 000009
【図９】
0004636712.tif 000010
【図１０】
0004636712.tif 000011
【図１１】
0004636712.tif 000012